(57)【要約】【課題】ワークの角穴の内周側面等の部位を無理なく研磨することができる作業者にとって使いやすいハンドラッパーを提供すること。【解決手段】ハンドラッパー１は、砥石２、砥石２を支持する砥石ホルダー３、棒状の柄４、および連結部５を備えている。連結部５は、砥石ホルダー３を、軸線Ｌ１を中心として揺動可能（首振り可能）な状態で、柄４の先端部に連結している。砥石２は軸線Ｌ１を中心に首振り可能なので、作業者は無理な作業姿勢を取ることなく、砥石を研磨対象の金属表面に対して平行に押し当てることができる。作業性に優れ、いずれの作業者にとっても使いやすいハンドラッパーを実現できる。【選択図】図１
0003185698.tif 000002
【実用新案登録請求の範囲】
【請求項１】
砥石と、
前記砥石を保持する砥石ホルダーと、
棒状の柄と、
予め定めた軸線あるいは支点を中心として揺動可能な状態で、前記砥石ホルダーを前記柄の先端部に連結している連結部と、
を有していることを特徴とするハンドラッパー。
【請求項２】
前記連結部は、前記柄の長さ方向に直交する第１軸線を中心として揺動可能な状態で、前記砥石ホルダーを前記柄の前記先端部に連結している請求項１に記載のハンドラッパー。
【請求項３】
前記連結部は、前記第１軸線に直交する第２軸線を中心として揺動可能な状態で、前記砥石ホルダーを前記柄の前記先端部に連結している請求項２に記載のハンドラッパー。
【請求項４】
前記連結部は、前記第１軸線を中心軸線とする連結ピンと、前記連結ピンの両側の軸端部を支持している左ピン支持板および右ピン支持板と、前記連結ピンの前記軸端部の間の部分を支持している中央ピン支持板とを備え、
前記砥石ホルダーおよび前記柄のうちの一方の側に前記左ピン支持板および前記右ピン支持板が取り付けられ、他方の側に前記中央ピン支持板が取り付けられている請求項２または３に記載のハンドラッパー。
【請求項５】
前記砥石は直方体形状の砥石であり、
前記砥石ホルダーは長方形輪郭のホルダー本体板を備え、
前記ホルダー本体板の一方の面に、前記砥石が接着剤によって取り付けられており、
前記ホルダー本体板の他方の面には、前記第１軸線の方向に貫通する中央ピン穴を備えた前記中央ピン支持板が固定されており、
前記柄の前記先端部には、その先端面からその長さ方向に向けて、前記中央ピン支持板を差し込み可能な幅のスリットが形成されており、
前記スリットによって前記先端部には、前記左ピン支持板および前記右ピン支持板が形成されており、
前記左ピン支持板および前記右ピン支持板には、前記第１軸線の方向に貫通する左ピン穴および右ピン穴がそれぞれ形成されており、
前記連結ピンは、前記左ピン穴、前記中央ピン穴および前記右ピン穴に通され、
前記左ピン穴および前記右ピン穴から突出している前記連結ピンの前記軸端部には、それぞれ、抜け止め用の止め輪が取り付けられており、
前記第１軸線に直交する方向が前記砥石の長辺方向である請求項４に記載のハンドラッパー。
【請求項６】
前記砥石は取り外し可能な状態で前記砥石ホルダーに取り付けられている請求項１ないし５のうちのいずれか一つの項に記載のハンドラッパー。
【考案の詳細な説明】
【技術分野】
【０００１】
本考案は研磨仕上げ等に用いられるハンドラッパーに関する。
【背景技術】
【０００２】
各種の金属製のワークの外側表面、ワークの凹部、穴等の内周側面あるいは底面の研磨等のためにハンドラッパーと呼ばれる手持ち式の研磨用工具が用いられている。ハンドラッパーは細長い棒状の柄の先に砥石が取り付けられた構造となっている。一般に、研磨作業が容易となるように、砥石は柄の先に斜めに固定されている。特許文献１、２にはこの構成のハンドラッパーが記載されている。
【先行技術文献】
【特許文献】
【０００３】
【特許文献１】実用新案登録第３１５１０５８号公報
【特許文献２】実公平６−２１６６６号公報
【考案の概要】
【考案が解決しようとする課題】
【０００４】
ここで、金属表面等の研磨作業においては、研磨対象の金属表面に対して砥石の平坦な砥面を密着状態に押し付け、この状態で金属表面に沿って平行に砥石を往復移動させる。手に持った柄の先に取り付けられている砥石は、柄に対する取付け角度が固定されているので、作業者は砥石の砥面が常に金属表面に平行となるように保持して一定の方向に力を加える必要がある。
【０００５】
しかしながら、ワークに形成された角穴の内周側面あるいは角穴の矩形の底面の角部分等を研磨する際には、砥石の砥面を金属表面に密着させた状態を維持したまま研磨作業を行うことが困難である。例えば、作業者は前屈み等の無理な姿勢で砥石を研磨対象の金属表面に平行となるように押し付ける必要がある。このために、砥石を均一な力で研磨対象の金属表面に押し当てて研磨を行うことが困難な場合がある。
【０００６】
また、作業者の体型・体格に応じて、作業者にとって使いやすい柄に対する砥石の取付け角度が微妙に相違する場合がある。このため、従来のハンドラッパーは、全ての作業者にとって使用しやすいものではないという問題もある。
【０００７】
本考案の課題は、このような点に鑑みて、ワークの角穴の隅等の部位を無理なく研磨することができ、しかも、作業者にとって使いやすいハンドラッパーを提供することにある。
【課題を解決するための手段】
【０００８】
上記の課題を解決するために、本考案のハンドラッパーは、柄の先に、取付け角度が必要に応じて変わるように、揺動可能（首振り可能）な状態で、砥石を取り付けたことを特徴としている。
【０００９】
すなわち、本考案のハンドラッパーは、砥石と、砥石を支持する砥石ホルダーと、棒状の柄と、所定の軸線あるいは支点を中心として揺動可能（首振り可能）な状態で、砥石ホルダーを柄の先端部に連結している連結部とを有していることを特徴としている。
【００１０】
本考案のハンドラッパーを用いて、金属表面の研磨作業を行う場合には、作業者は無理な作業姿勢を取ることなく、砥石を研磨対象の金属表面に対して平行に押し当てることができる。よって、取付け角度が固定の従来のハンドラッパーに比べて作業性に優れ、いずれの作業者にとっても使いやすいハンドラッパーを実現できる。
【００１１】
ここで、砥石を研磨対象の表面に沿って同一方向に往復移動させながら研磨作業を行う場合には、柄に加えた力によって、砥石を研磨対象の表面に押し付けた状態で研磨方向に確実に押し出すことができる必要がある。このためには、砥石は、柄の長さ方向に直交する第１軸線を中心として揺動可能（首振り可能）な状態で柄の先に取り付けられていることが望ましい。
【００１２】
場合によっては、二軸回りに、砥石を揺動可能な状態で柄の先に取り付けておく場合もある。例えば、連結部によって、第１軸線に直交する第２軸線を中心として揺動可能な状態で、砥石ホルダーが柄の先端部に連結される。
【００１３】
砥石を柄の長さ方向に直交する第１軸線回りに首振り可能な状態とするためには、例えば次の構成を採用することができる。
【００１４】
すなわち、砥石を取り付けた砥石ホルダーを柄に連結している連結部は、第１軸線を中心軸線とする連結ピンと、連結ピンの両側の軸端部を支持している左ピン支持板および右ピン支持板と、連結ピンの両側の軸端部の間の部分を支持している中央ピン支持板とを備え、砥石ホルダーおよび柄のうちの一方の側に左ピン支持板および右ピン支持板が取り付けられ、他方の側に中央ピン支持板が取り付けられている。
【００１５】
一般的には、砥石は直方体形状の砥石である。この場合には、砥石ホルダーは長方形輪郭のホルダー本体板からなり、ホルダー本体板の一方の面に、砥石が接着剤によって取り付けられる。
【００１６】
また、連結部は次のように構成することができる。すなわち、ホルダー本体板の他方の面には、第１軸線の方向に貫通する中央ピン穴を備えた中央ピン支持板が固定される。柄の先端部には、その先端面からその長さ方向に向けて、中央ピン支持板を差し込み可能な幅のスリットが形成される。スリットによって先端部には、左ピン支持板および右ピン支持板が形成される。左ピン支持板および右ピン支持板には、第１軸線の方向に貫通する左ピン穴および右ピン穴がそれぞれ形成される。連結ピンは、左ピン穴、中央ピン穴および右ピン穴に通され、左ピン穴および右ピン穴から突出している連結ピンの軸端部には、それぞれ、抜け止め用の止め輪が取り付けられる。この場合には、通常は第１軸線に直交する方向が砥石の長辺方向とされる。
【００１７】
ここで、使用によって砥石の砥面の砥粒が摩耗する等した場合には、砥石を新しいものと交換できると便利である。そのために、砥石は取り外し可能な状態で砥石ホルダーに取り付けられていることが望ましい。
【図面の簡単な説明】
【００１８】
【図１】本考案を適用したハンドラッパーを示す斜視図である。
【図２】（ａ）、（ｂ）および（ｃ）は、ハンドラッパーの砥石ホルダーの部分を中心に示す部分側面図、部分斜視図および分解斜視図である。
【図３】ハンドラッパーを用いた研磨作業を示す説明図である。
【図４】二軸回りに首振りするハンドラッパーを示す説明図である。
【考案を実施するための形態】
【００１９】
以下に、図面を参照して、本考案を適用したハンドラッパーの実施の形態を説明する。
【００２０】
図１を参照して本実施の形態に係るハンドラッパーの全体構成を説明する。ハンドラッパー１は、砥石２、この砥石２を保持する砥石ホルダー３および棒状の柄４を備えている。砥石ホルダー３は、連結部５を介して、柄４の先端部４ｂに首振り自在の状態で連結されている。本例では、連結部５は、柄４の長さ方向に直交する軸線Ｌ１（第１軸線）を中心として揺動自在（首振り自在）の状態で、砥石ホルダー３を柄４の先端部４ｂに連結している。
【００２１】
砥石２は直方体形状の砥石であり、その長辺方向が軸線Ｌ１に直交する方向となるように、連結部５を介して、柄４に取り付けられている。砥石ホルダー３は長方形の板材からなり、その下面は、砥石２に対応した長方形輪郭の砥石保持面３ａである。砥石保持面３ａには、接着剤６を介して、砥石２が固定されている。砥石ホルダー３は、金属、プラスチック、セラミックス等の所定の強度、剛性を備えた素材から製造することができる。
【００２２】
柄４は偏平な長方形断面をした細長い棒状をしている。柄４は、砥石ホルダー３と同様な素材から形成することができ、例えば、柄４と砥石ホルダー３は同一素材から製造されている。
【００２３】
次に、図２も参照して各部の構造を説明する。連結部５は軸線Ｌ１を中心軸線とする連結ピン１１を備えている。また、連結ピン１１の両側の軸端部１１ａ、１１ｂを支持している左ピン支持板１２および右ピン支持板１３と、連結ピン１１の軸端部１１ａ、１１ｂの間の部分を支持している中央ピン支持板１４を備えている。本例では、砥石ホルダー３の上面３ｂに中央ピン支持板１４が取り付けられており、柄４の側に、左ピン支持板１２、右ピン支持板１３が形成されている。
【００２４】
砥石ホルダー３の上面３ｂには、その短辺方向の中心位置を長辺方向に延びる状態で、中央ピン支持板１４が垂直に固定されている。中央ピン支持板１４には、軸線Ｌ１の方向に貫通する中央ピン穴１４ａが形成されている。一方、柄４の先端部４ｂには、その先端面から柄長さ方向に沿って一定幅の直線状のスリット４ｃが切られている。このスリット４ｃによって、柄４の先端部４ｂの先端側の部分は左右に分離されて、連結部５の左ピン支持板１２および右ピン支持板１３が形成されている。これらの支持板１２、１３には、軸線Ｌ１の方向に貫通する左ピン穴１２ａ、右ピン穴１３ａがそれぞれ形成されている。
【００２５】
砥石ホルダー３の側の中央ピン支持板１４はスリット４ｃに差し込み可能な一定厚さの板材からなる。また、中央ピン支持板１４の輪郭形状は、その後半部分が柄４の先端部４ｂの厚さと同一の高さの長方形となっており、その前半部分が前方に向けて高さが漸減した三角形状となっている。中央ピン支持板１４の後半部分がスリット４ｃに差し込まれ、この状態で、連結ピン１１が、左ピン穴１２ａ、中央ピン穴１４ａおよび右ピン穴１３ａに差し通されている。また、左ピン穴１２ａ、右ピン穴１３ａから突出している連結ピン１１の軸端部には、それぞれ、抜け止め用のＣ形止め輪１５、１６が取り付けられている。
【００２６】
ここで、砥石２は取り外し可能（交換可能）な状態で、砥石ホルダー３の砥石保持面３ａに接着固定されている。例えば、砥石２は両面接着テープによって砥石保持面３ａに接着固定されており、砥石２の砥面２ａが摩耗した場合には、砥石保持面３ａから砥石２を剥ぎ取り、新しい砥石に交換できるようになっている。
【００２７】
このように構成したハンドラッパー１では、砥石２が連結ピン１１を中心として揺動自在（首振り自在）である。本例では、図２（ａ）に示すように、連結ピン１１を中心として１８０度の角度範囲内で揺動可能である。したがって、図３に示すように、研磨対象のワーク２０の角穴２１の内周側面２２等に、砥石２の砥面２ａを密着させた状態に押し当てることが簡単にできる。よって、砥石２の各部を均一な力で研磨対象の面に押し当てながら効率良く研磨作業を行うことができる。
【００２８】
なお、本例では一軸回りに首振り可能な状態で砥石を柄に取り付けているが、例えば、二軸回りに砥石を首振り可能にしてもよい。図４に示すように、連結部５によって、砥石２を軸線Ｌ１に直交する第２軸線Ｌ２を中心として揺動可能な状態で柄４に連結することができる。第２軸線Ｌ２は例えば、砥石２の厚み方向に延びる軸線とされる。あるいは、ユニバーサルジョイント等を用いて、ピボット支点を中心として各方向に首振り可能な状態で、砥石２を柄４に連結しておくことも可能である。
【符号の説明】
【００２９】
１    ハンドラッパー
２    砥石
２ａ  砥面
３    砥石ホルダー
３ａ  砥石保持面
３ｂ  上面
４    柄
４ｂ  先端部
４ｃ  スリット
５    連結部
６    接着剤
１１  連結ピン
１１ａ、１１ｂ  軸端部
１２  左ピン支持板
１２ａ  左ピン穴
１３  右ピン支持板
１３ａ  右ピン穴
１４  中央ピン支持板
１４ａ  中央ピン穴
１５、１６  Ｃ形止め輪
２０  ワーク
２１  角穴
２２  内周側面
Ｌ１  軸線
Ｌ２  第２軸線
【図１】
0003185698.tif 000003
【図２】
0003185698.tif 000004
【図３】
0003185698.tif 000005
【図４】
0003185698.tif 000006